【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
ローカルネットワークを介したモバイルデバイスとコードレス電話基地局との間の通信リンクを確立することと、
前記通信リンクを介して前記コードレス電話基地局において、モバイルネットワークを介した前記モバイルデバイスによって受信された第１の通信信号に応答して、電話呼の開始を決定することと、ここにおいて、前記モバイルネットワークは、前記ローカルネットワークとは異なる、
前記コードレス電話基地局において、前記電話呼の開始を決定したことに応答して、前記モバイルデバイスが静止していると決定することと、
前記モバイルデバイスが静止していると決定したことに応答して、前記コードレス電話基地局から前記モバイルネットワークの電気通信制御システムに第２の通信信号を送信することと、ここにおいて、前記第２の通信信号は、前記モバイルデバイスが静止したままである間、前記電話呼の少なくとも一部分にわたって前記モバイルネットワーク内での前記モバイルデバイスの位置追跡を終了させるよう前記電気通信制御システムに示す、
を備える、モバイル通信のための方法。
【請求項２】
前記コードレス電話基地局において、前記モバイルデバイスから前記第１の通信信号を受信することと、
前記コードレス電話基地局を介して、モバイルネットワーク通信のために使用される第１の通信フォーマットから前記コードレス電話基地局の電話ハンドセットを用いた使用のための第２の通信フォーマットに前記第１の通信信号を変換することと、ここにおいて、前記電話ハンドセットは、前記モバイルデバイスとは異なる、
前記第１の通信信号を変換した後に前記コードレス電話基地局から前記電話ハンドセットに前記第１の通信信号を送信することと、
をさらに備える、請求項１に記載の方法。
【請求項３】
前記第２の通信信号を送信することは、前記電気通信制御システムに関連付けられたアドレスに前記第２の通信信号を送信することを含み、ここにおいて、前記電気通信制御システムは、前記モバイルデバイスに関連付けられたモバイルネットワークオペレータのために前記モバイルデバイスの前記位置追跡を実行する、請求項１に記載の方法。
【請求項４】
前記モバイルデバイスが前記電話呼の前記少なくとも一部分にわたって静止したままであると決定することは、前記モバイルデバイスが、前記コードレス電話基地局の物理的ドッキングステーション内に位置していることを検出することと、前記モバイルデバイスが前記コードレス電話基地局に留め付けられていることを検出することとからなるグループのうちの少なくとも１つのメンバーを含む、請求項１に記載の方法。
【請求項５】
前記通信リンクを確立することは、前記モバイルデバイスの第１の加入者識別モード（ＳＩＭ）カードのユニークな識別子を前記コードレス電話基地局の第２のＳＩＭカードに関連付けることを含む、請求項１に記載の方法。
【請求項６】
前記通信リンクは、前記ローカルネットワークを介した前記モバイルデバイスと前記コードレス電話基地局との間の通信の交換を可能にする、請求項１に記載の方法。
【請求項７】
前記ローカルネットワークは、コードレス電話ネットワークおよびＷｉ−Ｆｉネットワークからなるグループのうちの少なくとも１つのメンバーを含む、請求項１に記載の方法。
【請求項８】
前記第２の通信信号は、前記モバイルネットワーク内での前記モバイルデバイスの前記位置追跡を再開するために、前記コードレス電話基地局から前記電気通信制御システムに第３の通信信号が送信されるまで、前記モバイルネットワーク内での前記モバイルデバイスの前記位置追跡を終了させるよう前記電気通信制御システムに示す、請求項１に記載の方法。
【請求項９】
前記モバイルデバイスが静止していると決定することは、前記モバイルデバイスが前記コードレス電話基地局にドッキングされていると決定することを含み、さらに、前記モバイルデバイスが前記コードレス電話基地局にドッキングされていることを前記電気通信制御システムに示す前記第２の通信信号を生成することを備える、請求項１に記載の方法。
【請求項１０】
前記第２の通信信号は、前記モバイルデバイスに関連付けられた位置データを生成することと、前記モバイルデバイスに関連付けられた位置データを送信することと、前記モバイルデバイスに関連付けられた位置データを受信することとからなるグループのうちの少なくとも１つのメンバーを含む動作を実行することを控えるよう前記電気通信制御システムに示す、請求項１に記載の方法。
【請求項１１】
前記モバイルデバイスは、前記電話呼の前記少なくとも一部分にわたって前記モバイルネットワークを介して電気通信データを受信し、ここにおいて、前記電気通信データは、位置データを含まない、請求項１に記載の方法。
【請求項１２】
コードレス電話基地局のプロセッサによって実行されたときに、前記コードレス電話基地局に、
ローカルネットワークを介したモバイルデバイスと前記コードレス電話基地局との間の通信リンクを確立することと、
モバイルネットワークを介した前記モバイルデバイスによる電話呼の受信を示す、前記モバイルデバイスからの第１の通信信号を検出することと、ここにおいて、前記モバイルネットワークは、前記ローカルネットワークとは異なる、
前記第１の通信信号を受信したことに応答して、前記モバイルデバイスが前記コードレス電話基地局に物理的に結合されていると決定することと、ここにおいて、前記モバイルデバイスは、前記モバイルデバイスが前記コードレス電話基地局に物理的に結合されている間、前記電話呼の少なくとも一部分にわたって静止したままである、
前記モバイルデバイスが前記コードレス電話基地局に物理的に結合されているとの決定に応答して、前記コードレス電話基地局から前記モバイルネットワークの電気通信制御システムに、第２の通信信号を送信することと、ここにおいて、前記第２の通信信号は、前記モバイルデバイスが前記コードレス電話基地局に物理的に結合されたままである間、前記電話呼の少なくとも前記一部分にわたって前記モバイルネットワーク内での前記モバイルデバイスの位置追跡を終了させるよう前記電気通信制御システムに示す、
を実行させる命令を記憶した、非一時的な機械可読記憶媒体。
【請求項１３】
前記プロセッサによって実行された前記命令は、前記コードレス電話基地局に、前記電気通信制御システムに関連付けられたアドレスに前記第２の通信信号を送信することを実行させ、ここにおいて、前記電気通信制御システムは、前記モバイルデバイスに関連付けられたモバイルネットワークサービスプロバイダのために前記モバイルデバイスの前記位置追跡を実行する、請求項１２に記載の非一時的な機械可読記憶媒体。
【請求項１４】
前記コードレス電話基地局は、前記コードレス電話基地局の物理的ドッキングステーション、および前記コードレス電話基地局に前記モバイルデバイスを取り付けるファスナからなるグループのうちの少なくとも１つのメンバーを介して、前記コードレス電話基地局に前記モバイルデバイスを物理的に結合する、請求項１２に記載の非一時的な機械可読記憶媒体。
【請求項１５】
前記プロセッサによって実行された前記命令は、前記コードレス電話基地局に、前記モバイルデバイスの第１のＳＩＭカードのユニークな識別子を前記コードレス電話基地局の第２のＳＩＭカードに関連付けることを実行させる、請求項１２に記載の非一時的な機械可読記憶媒体。
【請求項１６】
前記通信リンクは、前記ローカルネットワークを介した前記モバイルデバイスと前記コードレス電話基地局との間のインターネットデータ通信を可能にする、請求項１２に記載の非一時的な機械可読記憶媒体。
【請求項１７】
前記プロセッサによって実行された前記命令はさらに、前記コードレス電話基地局に、
前記モバイルデバイスから前記コードレス電話基地局に前記電話呼のための前記第１の通信信号を転送することと、
前記コードレス電話基地局において、モバイルネットワーク通信のために使用される第１の通信フォーマットから前記コードレス電話基地局の電話ハンドセットを用いた使用のための第２の通信フォーマットに前記第１の通信信号を変換することと、ここにおいて、前記電話ハンドセットは、前記モバイルデバイスとは異なる、
を実行させる、請求項１２に記載の非一時的な機械可読記憶媒体。
【請求項１８】
前記第２の通信信号は、前記モバイルデバイスが前記電話呼の前記少なくとも一部分にわたって物理的にドッキングされていることを示す、請求項１２に記載の非一時的な機械可読記憶媒体。
【請求項１９】
プロセッサと、
命令を記憶するためのメモリと、
を備えるシステムであって、前記命令は、前記プロセッサによって実行されたときに、前記システムに、
ローカルネットワークを介したモバイルデバイスとコードレス電話基地局との間の通信リンクを確立することと、
電話呼のための第１の通信信号がモバイルネットワークから前記モバイルデバイスによって受信されたと決定することと、ここにおいて、前記モバイルネットワークは、前記ローカルネットワークとは異なる、
前記電話呼のための前記第１の通信信号の受信に応答して、前記モバイルデバイスが前記コードレス電話基地局に物理的に結合されていると決定することと、ここにおいて、前記モバイルデバイスは、前記モバイルデバイスが前記コードレス電話基地局に物理的に結合されている間、前記電話呼の少なくとも一部分にわたって静止したままである、
前記モバイルデバイスが前記コードレス電話基地局に物理的に結合されているとの決定に応答して、前記モバイルネットワークを介して、前記コードレス電話基地局から電気通信制御システムに第２の通信信号を送信することと、ここにおいて、前記第２の通信信号は、前記モバイルデバイスが前記コードレス電話基地局に物理的に結合されたままである間、前記電話呼の前記少なくとも一部分にわたって前記モバイルネットワーク内での前記モバイルデバイスの位置追跡を終了させるよう前記電気通信制御システムに示す、
を実行させる、システム。
【請求項２０】
前記命令は、前記プロセッサによって実行されたときに、前記システムに、前記電気通信制御システムに関連付けられたアドレスに前記第２の通信信号を送信することを実行させ、ここにおいて、前記電気通信制御システムは、前記モバイルデバイスのモバイル電話サービスプロバイダに関連付けられる、請求項１９に記載のシステム。
【請求項２１】
前記コードレス電話基地局は、前記コードレス電話基地局の物理的ドッキングステーション、および前記コードレス電話基地局に前記モバイルデバイスを取り付けるファスナからなるグループのうちの少なくとも１つのメンバーを介して、前記コードレス電話基地局に前記モバイルデバイスを物理的に結合する、請求項１９に記載のシステム。
【請求項２２】
前記命令は、前記プロセッサによって実行されたときに、前記システムに、前記モバイルデバイスの第１のＳＩＭカードのユニークな識別子を前記コードレス電話基地局の第２のＳＩＭカードに関連付けることを実行させる、請求項１９に記載のシステム。
【請求項２３】
前記通信リンクは、前記ローカルネットワークを介した前記モバイルデバイスと前記コードレス電話基地局との間のデータ通信を可能にする、請求項１９に記載のシステム。
【請求項２４】
前記命令は、前記プロセッサによって実行されたときに、前記システムに、
前記モバイルデバイスから前記コードレス電話基地局に前記第１の通信信号を転送することと、
モバイルネットワーク通信のために使用される第１の通信フォーマットから前記コードレス電話基地局の電話ハンドセットを用いた使用のための第２の通信フォーマットに前記第１の通信信号を変換することと、ここにおいて、前記電話ハンドセットは、前記モバイルデバイスとは異なる、
をさらに実行させる、請求項１９に記載のシステム。
【請求項２５】
前記第２の通信信号は、前記モバイルデバイスが前記電話呼の前記少なくとも一部分にわたって前記コードレス電話基地局とドッキングされていることを示す、請求項１９に記載のシステム。